(57)【要約】【課題】コンデンサとトリガスイッチを用いなくとも、ＣＤカバーオープン時に、光ディスクにブレーキをかけることができる光ディスク装置の制御方法を提供する。【解決手段】光ディスク１０を外部と遮断する蓋部２０を備え、光ディスク１０の読み取り中に蓋部２０が開いた場合に、光ディスク１０の回転を停止する光ディスク装置の制御方法において、光ディスク１０の回転にブレーキをかける時間をあらかじめ設定しておき、光ディスク１０の読み取り中に蓋部２０が開いた場合には、設定したブレーキ時間だけブレーキを作動させる。【選択図】　図１
2004055045.tif 000002
【特許請求の範囲】
【請求項１】
光ディスクを外部と遮断する蓋部を備え、前記光ディスクの読み取り中に前記蓋部が開いた場合に、前記光ディスクの回転を停止する光ディスク装置の制御方法において、
前記光ディスクの回転にブレーキをかける時間をあらかじめ設定しておき、
前記光ディスクの読み取り中に前記蓋部が開いた場合には、前記設定したブレーキをかける時間だけブレーキを作動させることを特徴とする光ディスク装置の制御方法。
【請求項２】
光ディスクを外部と遮断する蓋部を備え、前記光ディスクの読み取り中に前記蓋部が開いた場合に、前記光ディスクの回転を停止する光ディスク装置の制御方法において、
前記光ディスクが第１の径のディスクであった場合に最適なブレーキをかける時間と、前記光ディスクが第２の径のディスクであった場合に最適なブレーキをかける時間とを設定しておき、
前記光ディスクが、回転起動したときから線速度が一定になるまでの時間を計測し、
前記計測した時間をもとに、前記光ディスクが、第１の径のディスクか第２の径のディスクかを判別し、
前記判別結果に応じて、前記設定されているブレーキをかける時間の内から選択したブレーキをかける時間だけブレーキを作動させることを特徴とする光ディスク装置の制御方法。
【請求項３】
光ディスクを外部と遮断する蓋部を備え、前記光ディスクの読み取り中に前記蓋部が開いた場合に、前記光ディスクの回転を停止する光ディスク装置の制御方法において、
前記光ディスクが第１の径のディスクであり、かつ光ピックアップが前記光ディスクの読み取り部分の半分の位置より外周側にあった場合に最適なブレーキをかける時間と、
前記光ディスクが前記第１の径のディスクであり、かつ前記光ピックアップが前記光ディスクの読み取り部分の半分の位置かまたは内周側にあった場合に最適なブレーキをかける時間と、
前記光ディスクが第２の径のディスクであり、かつ前記光ピックアップが前記光ディスクの読み取り部分の半分の位置より外周側にあった場合に最適なブレーキをかける時間と、
前記光ディスクが前記第２の径のディスクであり、かつ前記光ピックアップが前記光ディスクの読み取り部分の半分の位置かまたは内周側にあった場合に最適なブレーキをかける時間とを設定しておき、
前記光ディスクが、回転起動したときから線速度が一定になるまでの時間を計測し、前記計測した時間をもとに、前記光ディスクが、第１の径のディスクか第２の径のディスクかを判別し、
かつ、前記蓋部が開く直前の前記光ピックアップの位置が、前記光ディスクの読み取り部分の半分の位置より外周側か内周側かを判別し、
前記判別結果に応じて、前記設定されているブレーキをかける時間のうちから選択したブレーキをかける時間だけブレーキを作動させることを特徴とする光ディスク装置の制御方法。
【請求項４】
光ディスクを外部と遮断する蓋部を備え、前記光ディスクの読み取り中に前記蓋部が開いた場合に、前記光ディスクの回転を停止する光ディスク装置の制御方法において、
前記光ディスクが第１の径のディスクである場合に、前記光ディスクの径方向に対する光ピックアップの位置に応じた複数の最適なブレーキをかける時間と、前記光ディスクが第２の径のディスクである場合に、前記光ディスクの径方向に対する前記光ピックアップの位置に応じた複数の最適なブレーキをかける時間とを設定しておき、
前記光ディスクが、回転起動したときから線速度が一定になるまでの時間を計測し、前記計測した時間をもとに、前記光ディスクが、前記第１の径のディスクか前記第２の径のディスクかを判別し、
かつ、前記蓋部が開く直前の前記光ディスクの径方向における前記光ピックアップの位置を判別し、
前記判別結果に応じて、前記設定されているブレーキをかける時間のうちから選択したブレーキをかける時間だけブレーキを作動させることを特徴とする光ディスク装置の制御方法。
【請求項５】
光ディスクを外部と遮断する蓋部を備え、前記光ディスクの読み取り中に前記蓋部が開いた場合に、前記光ディスクの回転を停止する光ディスク装置であって、
前記光ディスクの回転を制御しているスピンドルモータと、
記憶部を有している制御装置とを備え、
前記記憶部は、前記光ディスクの回転にブレーキをかける時間をあらかじめ記憶しており、
前記光ディスクの読み取り中に前記蓋部が開いた場合には、前記制御装置は、前記記憶部に記憶されている時間だけブレーキを作動させるように前記スピンドルモータを制御することを特徴とする光ディスク装置。
【発明の詳細な説明】
【０００１】
【発明の属する技術分野】
本発明は、光ディスク装置の制御方法に関する。特に、ＣＤカバーオープンをトリガとして、光ピックアップのレーザをＯＦＦし、かつ光ディスクの回転にブレーキをかける光ディスク装置の制御方法に関する。
【０００２】
【従来の技術】
光ディスク装置において、ＣＤ等の光ディスク回転中にＣＤカバーが開いた場合、情報読み取り用のレーザ光が操作者の目に入る危険がある。そのため、ＣＤカバーが開いた場合には、レーザをＯＦＦする必要がある。従来の光ディスク装置は、カバーオープンをトリガとしてレーザをＯＦＦしている。しかし、レーザをＯＦＦしてしまうと、光ディスクの情報をモニタすることができない。光ディスクの情報である光ディスクの回転数をもとに、光ディスクの回転にブレーキをかけるため、レーザをＯＦＦすると、ブレーキ操作ができない。ブレーキをかけないと、光ディスクが惰性で回り続けることとなり、さらにＣＤカバーが開いているため、光ディスクが外に飛び出してしまうおそれがある。したがって、実際にはすぐにレーザをＯＦＦすることはできない。
【０００３】
従来の光ディスク装置の制御方法における光ディスクの停止方法について図を用いて説明する。図４は、ＣＤカバーが閉じた状態の光ディスク装置の構成を示す図であり、図５は、ＣＤカバーが開いた状態の光ディスク装置の構成を示す図である。
【０００４】
ＣＤ等の光ディスク１０は、スピンドルモータ７０によって回転させられ、光ピックアップ３０からレーザ３１が光ディスク１０に向けて出射されている。レーザ３１の電源は、レーザ電源供給回路５０から供給されている。マイクロコンピュータである制御装置６０は、光ピックアップ３０がレーザ３１を出射しているか否かをモニタし、その状態に応じて、スピンドルモータ７０の回転を制御する。
【０００５】
光ディスク１０が回転していて、レーザ３１によってその情報が読み取られている場合は、蓋部であるＣＤカバー２０が閉じられていて、レーザ３１が外部に漏れるという危険はない。光ディスク装置には、検出スイッチ４０が設置されていて、ＣＤカバー２０が、開いているか閉じているかが検出され、その検出出力がレーザ電源供給回路５０に供給されている。
【０００６】
図４に示すように、ＣＤカバー２０と検出スイッチ４０が接していれば（検出スイッチ４０がＯＮ）、ＣＤカバー２０は閉じていると検出し、図５に示すように、ＣＤカバー２０と検出スイッチ４０が接していなければ（検出スイッチ４０がＯＦＦ）、ＣＤカバー２０は開いていると検出する。
【０００７】
レーザ電源供給回路５０は、図６に示すように、電源部５１と、大容量のコンデンサ５２と、トランジスタによって形成されたトリガスイッチ５３とを備えている。トリガスイッチ５３は、検出スイッチ４０と同期して作動する。ＣＤカバー２０が閉じている場合は、トリガスイッチ５３が、電源部５１側に接続されていて（図６中の破線で示される）、電源部５１から光ピックアップ３０へレーザ３１出射用の電源が供給されている。ＣＤカバー２０が開いた場合に、トリガスイッチ５３は、電源部５１側とは切れて、コンデンサ５２側に接続される（図６中の実線で示される）。それにより、コンデンサ５２に保持されていた電圧が光ピックアップ３０に供給される。それにより、光ディスク１０の情報を読み取ることができ、回転している光ディスク１０のブレーキ操作を行うことができる。光ディスクの停止動作が完了した後にレーザ３１はＯＦＦとなる。ＣＤカバー２０が開いてから光ディスク１０が完全に停止するまでの間は、コンデンサ５２から供給されている電圧によってレーザ３１は出射されている。
【０００８】
このときの光ディスク１０を停止させる動作について、図７を用いて説明する。当初の状態では、光ディスク１０が回転しており、光ピックアップ３０からレーザ３１が出射され、光ディスク１０の情報を読み取り中であるものとする。検出スイッチ４０は、ＣＤカバー２０が開いているか、閉じているかを検出して、検出出力をレーザ電源供給回路５０に供給し、制御装置６０にその信号を送っている。ＣＤカバー２０が開くと（Ｓ７０１）、トリガスイッチ５３が切り替わって、コンデンサ５２によってレーザ３１は出射される。さらに、制御装置６０は、スピンドルモータ７０にブレーキを作動させるように指示する（Ｓ７０２）。
【０００９】
制御装置６０は、光ディスク１０の現在の線速度Ｖｐと、通常の読み出し状態での一定の線速度Ｖｃの５分の１とを比較し（Ｓ７０３）、それらが等しいか現在の線速度ＬＶが大きければ、Ｖｃ／５到達時間カウンタｋを１増加させ（Ｓ７０４）、再びステップＳ７０３を行う。なお、光ディスク１０の回転数は、光ピックアップ３０によって読み取られる光ディスク１０の情報をもとに、例えば、ＤＳＰ（Ｄｉｇｉｔａｌ　Ｓｉｇｎａｌ　Ｐｒｏｃｅｓｓｏｒ）等を用いて容易に求めることができる。
【００１０】
こうして、光ディスク１０の現在の線速度Ｖｐが、線速度Ｖｃの５分の１よりも小さくなるまで、所定の時間間隔ごとにｋの値は増加していく。なお、ｋの初期値は０である。制御装置６０は、図示していないが記憶部を有し、増加していくｋの値を随時記憶している。
【００１１】
ステップＳ７０３で、光ディスク１０の現在の線速度Ｖｐが、線速度Ｖｃの５分の１よりも小さくなれば、そこから、さらに、今までブレーキをかけていた時間の１／４の時間だけブレーキをかけ続ける（Ｓ７０５）。このときのブレーキをかける時間は、ステップＳ７０４でｋの値が１増加する時に費やす時間をｋ／４倍することで求められる。所定時間経過後にブレーキを停止する（Ｓ７０６）。
【００１２】
従来の光ディスク装置は、レーザ電源供給回路５０にコンデンサ５２とトリガスイッチ５３を備え、上述の方法で、光ピックアップ３０が読み取っている、光ディスク１０の回転数をもとに、ＣＤカバー２０オープン時のブレーキ操作を行っている。
【００１３】
【発明が解決しようとする課題】
従来の光ディスク装置では、上述したように、ブレーキ操作を行っている間は、光ディスク１０の回転数を検出していなければいけない。そのため、その間も光ピックアップ３０は、レーザ３１を出射していなければならないので、レーザ電源供給回路５０にコンデンサ５２とトリガスイッチ５３が必要である。しかしながら、携帯用の光ディスク装置では、さらなる回路の小型化・低コスト化が求められているため、これらコンデンサ５２やトリガスイッチ５３等の部品を用いずに、使用する部品点数を減少させて光ディスク装置を構成することが必要である。
【００１４】
上述した課題を解決するため、本発明の光ディスク装置の制御方法は、コンデンサとトリガスイッチを用いなくとも、ＣＤカバーオープン時に、光ディスクにブレーキをかけることができる光ディスク装置の制御方法を提供することを目的とする。
【００１５】
また、本発明の光ディスク装置は、ＣＤカバーオープン時に、コンデンサとトリガスイッチを用いずに光ディスクにブレーキをかけることができ、小型化、低コスト化が可能な光ディスク装置を提供することを目的とする。
【００１６】
【課題を解決するための手段】
本発明の光ディスク装置の制御方法は、光ディスクを外部と遮断する蓋部を備え、前記光ディスクの読み取り中に前記蓋部が開いた場合に、前記光ディスクの回転を停止する光ディスク装置の制御方法において、前記光ディスクの回転にブレーキをかける時間をあらかじめ設定しておき、前記光ディスクの読み取り中に前記蓋部が開いた場合には、前記設定したブレーキをかける時間だけブレーキを作動させる。それにより、光ディスクの情報をモニタする必要なく、適切な時間ブレーキをかけることができる。そのため、光ピックアップからレーザを一定時間出射させるための、コンデンサおよびスイッチが不要であり、光ディスク装置を小型化、低コスト化することができる。
【００１７】
また、本発明の他の光ディスク装置の制御方法は、光ディスクを外部と遮断する蓋部を備え、前記光ディスクの読み取り中に前記蓋部が開いた場合に、前記光ディスクの回転を停止する光ディスク装置の制御方法において、前記光ディスクが第１の径のディスクであった場合に最適なブレーキをかける時間と、前記光ディスクが第２の径のディスクであった場合に最適なブレーキをかける時間とを設定しておき、前記光ディスクが、回転起動したときから線速度が一定になるまでの時間を計測し、前記計測した時間をもとに、前記光ディスクが、第１の径のディスクか第２の径のディスクかを判別し、前記判別結果に応じて、前記設定されているブレーキをかける時間の内から選択したブレーキをかける時間だけブレーキを作動させる。それにより、光ディスクの径によりブレーキをかける時間を変えることができ、ブレーキをかける時間をより最適な時間とすることができる。
【００１８】
また、本発明の他の光ディスク装置の制御方法は、光ディスクを外部と遮断する蓋部を備え、前記光ディスクの読み取り中に前記蓋部が開いた場合に、前記光ディスクの回転を停止する光ディスク装置の制御方法において、前記光ディスクが第１の径のディスクであり、かつ光ピックアップが前記光ディスクの読み取り部分の半分の位置より外周側にあった場合に最適なブレーキをかける時間と、前記光ディスクが前記第１の径のディスクであり、かつ前記光ピックアップが前記光ディスクの読み取り部分の半分の位置かまたは内周側にあった場合に最適なブレーキをかける時間と、前記光ディスクが第２の径のディスクであり、かつ前記光ピックアップが前記光ディスクの読み取り部分の半分の位置より外周側にあった場合に最適なブレーキをかける時間と、前記光ディスクが前記第２の径のディスクであり、かつ前記光ピックアップが前記光ディスクの読み取り部分の半分の位置かまたは内周側にあった場合に最適なブレーキをかける時間とを設定しておき、前記光ディスクが、回転起動したときから線速度が一定になるまでの時間を計測し、前記計測した時間をもとに、前記光ディスクが、第１の径のディスクか第２の径のディスクかを判別し、かつ、前記蓋部が開く直前の前記光ピックアップの位置が、前記光ディスクの読み取り部分の半分の位置より外周側か内周側かを判別し、前記判別結果に応じて、前記設定されているブレーキをかける時間のうちから選択したブレーキをかける時間だけブレーキを作動させる。それにより、光ピックアップの位置が外周側か内周側かで、ブレーキをかける時間を変えることができ、ブレーキをかける時間をより最適な時間とすることができる。
【００１９】
また、本発明の他の光ディスク装置の制御方法は、光ディスクを外部と遮断する蓋部を備え、前記光ディスクの読み取り中に前記蓋部が開いた場合に、前記光ディスクの回転を停止する光ディスク装置の制御方法において、前記光ディスクが第１の径のディスクである場合に、前記光ディスクの径方向に対する光ピックアップの位置に応じた複数の最適なブレーキをかける時間と、前記光ディスクが第２の径のディスクである場合に、前記光ディスクの径方向に対する光ピックアップの位置に応じた複数の最適なブレーキをかける時間とを設定しておき、前記光ディスクが、回転起動したときから線速度が一定になるまでの時間を計測し、前記計測した時間をもとに、前記光ディスクが、第１の径のディスクか第２の径のディスクかを判別し、かつ、前記蓋部が開く直前の前記光ディスクの径方向における前記光ピックアップの位置を判別し、前記判別結果に応じて、前記設定されているブレーキをかける時間のうちから選択したブレーキをかける時間だけブレーキを作動させる。それにより、光ピックアップの位置に応じて、ブレーキをかける時間を変えることができ、ブレーキをかける時間をより最適な時間とすることができる。
【００２０】
また、本発明の光ディスク装置は、光ディスクを外部と遮断する蓋部を備え、前記光ディスクの読み取り中に前記蓋部が開いた場合に、前記光ディスクの回転を停止する光ディスク装置であって、前記光ディスクの回転を制御しているスピンドルモータと、記憶部を有している制御装置とを備え、前記記憶部は、前記光ディスクの回転にブレーキをかける時間をあらかじめ記憶しており、前記光ディスクの読み取り中に前記蓋部が開いた場合には、前記制御装置は、前記記憶部に記憶されている時間だけブレーキを作動させるように前記スピンドルモータを制御する。それにより、光ピックアップからレーザを一定時間出射させるための、コンデンサおよびスイッチがなくても、ブレーキをかける時間を最適にすることができ、小型化、低コスト化を図ることができる。
【００２１】
【発明の実施の形態】
（実施の形態１）
本発明の実施の形態１にかかる光ディスク装置の構成は、図４および図５に示したものと概略同様である。ただし、レーザ電源供給回路は、コンデンサおよびトリガスイッチは備えていない。なお、全図を通じて、同様の部材および工程においては同一符号を付している。
【００２２】
実施の形態１における光ディスク装置の制御方法について図１を用いて説明する。なお、この制御方法は、あらかじめ、設定された時間だけ、光ディスクの回転にブレーキをかけることで、光ディスクを停止させる方法である。
【００２３】
まず、スピンドルモータ７０の回転起動前に回転起動時間計測カウンタの値ｉを０に初期化する（Ｓ１０１）。制御装置６０の記憶部には、ｉの値が記憶されている。スピンドルモータ７０が回転起動して（Ｓ１０２）、光ディスク１０が所定の線速度となるまで回転数が上昇する。回転数が所定の値となった時点で、光ディスク１０の線速度は一定となる。制御装置６０は、線速度が一定であるか否かを監視している（Ｓ１０３）。光ディスク１０の線速度が一定にならない間は、ｉの値は所定の時間間隔ごとに１ずつ増加していく（Ｓ１０４）。増加されていくｉの値は、前述した記憶部に随時記憶されていき、線速度が一定になったときのｉが最終的に記憶される。
【００２４】
回転起動時間計測カウンタの値ｉは、スピンドルモータ７０の回転起動時から、光ディスク１０の回転速度が所定の線速度になるまでに要した時間を表わすものである。ＣＤ等の光ディスク１０には、８ｃｍディスクと１２ｃｍディスクの２種類があり、これらは、所定の線速度になるまでに要する時間が異なる。つまり、ｉの値より、使用している光ディスク１０が、８ｃｍディスクか１２ｃｍディスクかを判別することができる。
【００２５】
検出スイッチ４０は、ＣＤカバー２０が開いているか、閉じているかを検出して、検出出力をレーザ電源供給回路５０に供給し、制御装置６０にその信号を送っている。ＣＤカバー２０が開くと（Ｓ１０５）、制御装置６０は、記憶しておいたｉの値を、あらかじめ設定されていた閾値と比較する（Ｓ１０６）。この閾値は、あらかじめ、測定したもので、ｉの値が閾値よりも小さければ、光ディスク１０は８ｃｍディスクであり、ｉの値が閾値と等しいかもしくは大きい場合は、光ディスク１０は１２ｃｍディスクであるという判別ができる適当な値を選択して設定しておく。
【００２６】
また、ＣＤカバー２０オープン時の、ブレーキをかける時間であるブレーキ時間は、あらかじめ測定によって、最適な時間を決定しておく。ブレーキ時間は、８ｃｍディスクと１２ｃｍディスクによって異なっているので、８ｃｍディスクに最適のブレーキ時間および１２ｃｍディスクに最適のブレーキ時間をそれぞれ、制御装置６０の記憶部に記憶しておく。
【００２７】
ステップＳ１０６において、ｉ＜閾値であれば、前述したように、使用している光ディスク１０は８ｃｍディスクであると判別できるので、制御装置６０は、８ｃｍディスクに最適のブレーキ時間をセットし（Ｓ１０７）、ｉ＜閾値でなければ使用している光ディスク１０は１２ｃｍディスクであると判別できるので、制御装置６０は、１２ｃｍディスクに最適のブレーキ時間をセットする（Ｓ１０８）。
【００２８】
制御装置６０は、スピンドルモータ７０にブレーキを作動させるように指示する（Ｓ１０９）。ステップＳ１０７またはステップＳ１０８でセットしたブレーキ時間だけブレーキをかけ続け（Ｓ１１０）、ブレーキを停止する（Ｓ１１１）。
【００２９】
以上のように、実施の形態１の光ディスク装置の制御方法によれば、あらかじめ、８ｃｍディスクおよび１２ｃｍディスクに最適のブレーキ時間を設定しておき、光ディスク１０が、線速度一定になるまでの時間から８ｃｍディスクおよび１２ｃｍディスクの判別を行い、それに適した時間だけブレーキを作動させるので、ブレーキ操作中に光ディスク１０の回転数を検出する必要はない。そのため、光ディスク１０の情報を光ピックアップ３０によってモニタしながらブレーキ処理を行わなくてもよい。したがって、コンデンサおよびトリガスイッチが不要である上、最適なブレーキ時間を選択できる。そのため、光ディスク装置を小型化、低コスト化することができる。
【００３０】
（実施の形態２）
本発明の実施の形態２にかかる光ディスク装置の構成は、実施の形態１の光ディスク装置と同一である。また、実施の形態２の光ディスク装置の制御方法は実施の形態１の制御方法にさらに、光ピックアップの位置が、光ディスクの外周側か内周側かを判別して、それに応じたブレーキ時間を設定する工程を追加したものである。
【００３１】
実施の形態２における光ディスク装置の制御方法について、図２を用いて説明する。この光ディスク装置における制御装置６０の記憶部は、実施の形態１のように８ｃｍディスク用、１２ｃｍディスク用の２つのブレーキ時間だけでなく、さらにそれぞれのディスクにおいて、光ピックアップ３０が、リードアウト領域の半分の箇所よりも外周側の場合と、内周側の場合とにおける最適なブレーキ時間を記憶している。したがって、４種類のブレーキ時間を記憶している。これらの記憶されている各ブレーキ時間は、あらかじめ測定によって最適のものを求めておく。なお、リードアウト領域の半分の箇所とは、光ディスク１０の最外周のデータ領域と最内周のデータ領域との中間箇所である。
【００３２】
ステップＳ１０１〜ステップＳ１０４は、実施の形態１と同一である。ステップＳ１０３で、光ディスク１０の線速度が一定になった後、光ピックアップ３０で最後に読み込んだ光ディスク１０のデータＤが、制御装置６０の記憶部で保持される（Ｓ２０１）。データＤを記憶することで、光ピックアップ３０の位置を記憶することができる。ステップＳ１０５では、ＣＤカバー２０が開いているか閉じているかを判定していて、ＣＤカバー２０が閉じている場合には、ステップＳ２０１に戻って、最後に読み込んだデータＤを随時更新して保持する。ＣＤカバー２０が開くと、検出スイッチ４０からＣＤカバー２０がオープンであるという信号を受けた制御装置６０は、記憶しておいた回転起動時間計測カウンタの値ｉを、あらかじめ設定されていた閾値と比較する（Ｓ１０６）。ステップＳ１０６において、ｉ＜閾値であれば、使用している光ディスク１０は８ｃｍディスクであると判別でき（Ｓ２０２）、ｉ＜閾値でなければ、使用している光ディスク１０は１２ｃｍディスクであると判別できる（Ｓ２０３）。その判定結果は、記憶部で記憶される。
【００３３】
ステップＳ２０２またはステップＳ２０３で光ディスク１０の判別をした後、ステップＳ２０１で記憶部に保持されている光ピックアップ３０が最後に読み込んだデータＤの位置が、光ディスク１０のリードアウト領域の半分よりも外側か否かを比べる（Ｓ２０４）。データＤが外側である場合には、ステップＳ２０２またはステップＳ２０３で判別した種類のディスクの外周用ブレーキ時間のデータをセットする（Ｓ２０５）。また、データＤが光ディスク１０のリードアウト領域の半分もしくは内側である場合には、ステップＳ２０２またはステップＳ２０３で判別した種類のディスクの内周用ブレーキ時間のデータをセットする（Ｓ２０６）。
【００３４】
ステップＳ１０９〜ステップＳ１１１は、実施の形態１で説明した通りであり、ブレーキが、ステップＳ２０５またはステップＳ２０６でセットした最適なブレーキ時間だけ作動する。
【００３５】
以上のように、実施の形態２の光ディスク装置の制御方法によれば、光ディスク１０の径だけでなく、光ピックアップ３０が、光ディスク１０の外周側にあるか内周側にあるかも判別して、それらの条件に応じた、あらかじめ設定されたブレーキ時間を選択する。したがって、ＣＬＶ方式による、光ピックアップ３０の位置による光ディスク１０の回転速度の違いに対応して、最適のブレーキ時間を選択することができる。それにより、光ピックアップ３０の位置によらず、光ディスク１０の回転を確実に停止させることができる。
【００３６】
（実施の形態３）
本発明の実施の形態３にかかる光ディスク装置の構成は、実施の形態２の光ディスク装置と同一である。また、実施の形態３の光ディスク装置の制御方法は実施の形態２の制御方法にさらに、光ピックアップの位置に応じてさらに細かくブレーキ時間を設定している。
【００３７】
実施の形態３における光ディスク装置の制御方法について、図３を用いて説明する。制御装置６０の記憶部には、実施の形態２のように、光ピックアップ３０の位置が光ディスク１０の外周側の場合と、内周側の場合という、二種類の位置だけでブレーキ時間が記憶されているのではなく、光ピックアップ３０の径方向の複数の位置に応じた最適なブレーキ時間をテーブルデータとして記憶されていいる。記憶されているこれらの各ブレーキ時間は、あらかじめ測定によって最適のものを求めておく。テーブルデータは、テーブル番号ｊで分けられている。番号ｊが少ない方が、光ディスク１０においてより外周側の位置である。また、８ｃｍディスク用のテーブルデータのテーブル番号ｊは連続であり、１２ｃｍディスク用のテーブルデータのテーブル番号ｊもまた連続である。
【００３８】
ステップＳ１０１〜ステップＳ１０４、ステップＳ２０１、ステップＳ１０５、ステップＳ１０６、ステップＳ２０２、ステップＳ２０３は、実施の形態２と同一である。ステップＳ２０３で、光ディスク１０の種類が判別された後は、テーブル番号ｊを初期化する（Ｓ３０１）。初期化の値は、８ｃｍディスク用と１２ｃｍディスク用とで異なるので、ステップＳ２０２またはステップＳ２０３の判別結果により選択される。
【００３９】
制御装置６０は、光ピックアップ３０で最後に読み込んだ光ディスク１０のデータＤとテーブル番号ｊのテーブルデータとを比べて、光ピックアップ３０の位置が、テーブル番号ｊのテーブルデータに示されている位置よりも外側にあるかを判別する（Ｓ３０２）。データＤがテーブルデータに示されている位置もしくはそれより内側である場合は、テーブル番号ｊを１増加させ（Ｓ３０３）、再びステップＳ３０２を行う。テーブル番号ｊが増加するにつれて、テーブルデータは順に、光ディスク１０の内周側のデータとなっていく。ステップＳ３０２で、テーブルデータに示されている位置よりもデータＤが外側である場合は、制御装置６０は、そのときのテーブルデータに設定されているブレーキ時間をセットする（Ｓ３０４）。
【００４０】
ステップＳ１０９〜ステップＳ１１１は、実施の形態２と同様であり、ブレーキが、ステップＳ３０４でセットした最適なブレーキ時間だけ作動する。
【００４１】
以上のように、実施の形態３の光ディスク装置の制御方法によれば、光ディスク１０の径だけでなく、光ピックアップ３０が、光ディスク１０の径方向のどこの位置にあるかを判別して、それらの条件に応じた、あらかじめ設定されたブレーキ時間を選択するので、ＣＬＶ方式による、光ピックアップ３０の位置による光ディスク１０の回転速度の違いに対応して、最適のブレーキ時間を選択することができる。それにより、光ピックアップ３０の位置によらず、光ディスク１０の回転を確実に停止させることができる
【００４２】
【発明の効果】
本発明によれば、光ディスクのブレーキ処理中に、光ディスクの情報を読み取る必要なしに、ブレーキをかける時間を最適にできる。また、コンデンサおよびトリガスイッチ等を備える必要がないので、部品点数を少なくでき、光ディスク装置の小型化、低コスト化が可能となる。
【図面の簡単な説明】
【図１】本発明の実施の形態１にかかる光ディスク装置の制御方法を示すフローチャート
【図２】本発明の実施の形態２にかかる光ディスク装置の制御方法を示すフローチャート
【図３】本発明の実施の形態３にかかる光ディスク装置の制御方法を示すフローチャート
【図４】本発明の光ディスク装置のＣＤカバーが開いている状態を示す図
【図５】本発明の光ディスク装置のＣＤカバーが閉じている状態を示す図
【図６】本発明の光ディスク装置のレーザ電源供給回路の構成を示す図
【図７】従来の光ディスク装置の制御方法を示すフローチャート
【符号の説明】
１０　　光ディスク
２０　　ＣＤカバー
３０　　光ピックアップ
３１　　レーザ
４０　　検出スイッチ
５０　　レーザ電源供給回路
５１　　電源部
５２　　コンデンサ
５３　　トリガスイッチ
６０　　制御装置
７０　　スピンドルモータ
【図１】
2004055045.tif 000003
【図２】
2004055045.tif 000004
【図３】
2004055045.tif 000005
【図４】
2004055045.tif 000006
【図５】
2004055045.tif 000007
【図６】
2004055045.tif 000008
【図７】
2004055045.tif 000009